(57)【特許請求の範囲】
【請求項１】
内部に磁気テープが収納されたカートリッジと、このカートリッジをスライドさせて装着する第１スライド部材と、この第１スライド部材をスライドさせる第２スライド部材と、前記第１と第２のスライド部材をそれぞれ個別にスライド可能に保持する筺体と、前記第１と第２のスライド部材を連結するリンク部材と、前記第２スライド部材をスライド操作可能な駆動源とを備え、前記リンク部材の一端側と他端側との間に形成した支点を前記筺体の底板に回動可能に軸支し、前記支点から前記第１スライド部材を連結する一端側までの寸法よりも、前記支点から前記第２スライド部材を連結する他端側までの寸法を小さく形成し、前記第１と第２のスライド部材は、前記リンク部材を回動させると、それぞれ反対方向にスライド可能になっており、
前記第２スライド部材は、前記リンク部材に連結し端部を有する第１部材と前記駆動源に連結し、前記第１部材の端部と接離可能な端部を有する第２部材とから成り、前記第１部材の一部に手動で操作可能な押圧部を設け、該第１部材の押圧によって前記第１部材の端部が前記第２部材の端部から離れるようにスライド移動可能になっており、
前記第１部材と第２部材との間には弾性部材が張架され、前記弾性部材によって前記第１部材の前記端部が前記第２部材の前記端部へ当接しており、
前記駆動源を駆動すると、前記弾性部材を介して前記第１、第２部材のそれぞれの前記端部が当接した状態で同方向にスライドし、前記リンク部材を介して前記第１スライド部材がスライドして、前記カートリッジを自動排出するようにし、前記駆動源が停止した状態で、前記弾性部材の弾性力に抗して前記第１部材の前記押圧部を押圧すると、前記第１部材の前記端部が前記駆動源に連結する前記第２部材の前記端部から離れる方向にスライドし、前記第１部材により前記リンク部材を介して前記第１スライド部材がスライドして、前記カートリッジを手動排出可能としたことを特徴とする磁気記録再生装置。
【請求項２】
前記第２スライド部材に連結部を設け、前記リンク部材の他端側の長手方向に長孔状の係合部を形成し、前記第２スライド部材の連結部を前記リンク部材の係合部に移動可能に係合させて、前記リンク部材と前記第２スライド部材とを連結し、前記第２スライド部材のスライドにより前記リンク部材が回動し、前記第２スライド部材の連結部が前記係合部において前記リンク部材の支点から遠のくと共に、前記支点と交わる前記第２スライド部材のスライド方向と直交する線に対する前記リンク部材の回動角度が大きくなるようにしたことを特徴とする請求項１記載の磁気記録再生装置。
【請求項３】
前記リンク部材の一端側に連結部を設け、前記前記第１スライド部材のスライド方向と直交する方向に長孔の係合部を形成し、前記リンク部材の連結部を前記第１スライド部材の係合部に係合させて前記リンク部材と前記第１スライド部材とを連結し、前記第２スライド部材をスライドさせて前記リンク部材を回動させると、前記リンク部材の連結部が前記第１スライド部材の係合部内を移動して前記第１スライド部材をスライドさせるようにしたことを特徴とする請求項１、または２記載の磁気記録再生装置。
【発明の詳細な説明】
【０００１】
【発明の属する技術分野】
本発明は、磁気記録再生装置に関し、特に磁気テープを収納するカートリッジを確実に装着するための装着機構に関する。
【０００２】
【従来の技術】
従来の磁気記録再生装置を、図１９の平面図と、この図１９の２０−２０断面図である図２０Ａと、この図２０Ａの要部側面図である図２０Ｂとを参考に説明する。
まず、従来の磁気記録再生装置２１（以下装置２１と称する）は、下部に配設されたベースプレート２１ａに、コ字状溝を有する一対のレール状のガイド部材２１ｂ、２１ｃが、図１９に示す右側端部寄りの図示上下に対向状態で取り付けられている。
また、図２０Ａに示すように、一対のガイド部材２１ｂ、２１ｃが位置する部分の、ベースプレート２１ａの一部に、一対の開口２１ｄが形成されている。
また、図２０Ａに示す磁気記録再生装置の図示右側端部に、後述するカートリッジ２３の底板２３ｃをガイドしてカートリッジ２３を磁気記録装置内部に挿入するための挿入口２１ｅが形成されている。
また、ベースプレート２１ａの前記ガイド部材２１ｂ、２１ｃが位置する裏面には、一方がネジ止めされ、他方が自由端になった弾性力が大きな一対の板バネ２２が配設されている。そして、この板バネ２２の自由端先端に係止部２２ａが折り曲げ形成され、この係止部２２ａに回転自在に係止ローラ２２ｂが支持されている。
そして、ベースプレート２１ａの開口２１ｄに係止ローラ２２ｂが位置し、この係止ローラ２２ｂが、開口２１ｄ内部で一方のネジ止め部を支点として上下動できるようになっている。
【０００３】
また、図示２点鎖線で示すカートリッジ３は、挿入口２１ｅから挿入され、ガイド部材２１ａ、２１ｂに案内されて装置２１内部に装着されるようになっている。このカートリッジ２３は、内部に磁気テープ２３ａが収納され、外側の両側面には、図２０Ｂに示すように、コ字状の一対の案内溝２３ｂが形成されている。  そして、この一対の案内溝２３ｂが前記レール状のガイド部材２１ｂ、２１ｃにガイドされて、カートリッジ２３が装置２１の内部に案内されるようになっている。
また、カートリッジ２３の案内溝２３ｂを構成する底板２３ｃの一部に、切り欠き部２３ｄが形成されている。また、カートリッジ２３の内部には、テープ送りベルト２３ｇを介して磁気テープ２３ａを左右に搬送する回転自在のピンチローラ２３ｆが配設されている。
また、装置２１の内部には磁気ヘッド２４と搬送ローラ２５とが配設されている。
【０００４】
前記カートリッジ２３を装置２１に装着するローディング動作は、まず、カートリッジ２３の先端部を、装置２１の挿入口２１ｅから矢印Ｄ方向に手作業で挿入する。
そして、カートリッジ２３の底板２３ｃの先端部が、板バネ２２の係止ローラ２２ｂにぶつかる。
この状態から、更に強い力でカートリッジ２３を装置２１の内部に押し込むと、カートリッジ２３の底板２３ｃで、係止ローラ２２ｂが下方に押し下げられ、板バネ２２が下方に撓み、係止ローラ２２ｂが底板２３ｃの下面側に弾接する。
そして、更にカートリッジ２３を装置２１の内部に押し込むと、前記底板２３ｃの下面側に押し下げられていたローラ２２ｂは、カートリッジ２３の切り欠き部２３ｄに位置して、板バネ２２の大きな弾性力で、切り欠き部２３ｄに上昇する。すると、図２０Ａに示すように、前記切り欠き部２３ｄの一端に係止ローラ２２ｂが弾接し、この係止ローラ２２ｂにより、切り欠き部２３ｄの一端が矢印Ｃ方向の斜め上方に押圧され、カートリッジ２３は、装置２１内部のストッパ（図示せず）に当接して停止し装置２１の内部に装着される。
【０００５】
このとき、カートリッジ２３のピンチローラ２３ｆは、装置２１内部の搬送ローラ２５に圧接し、これ以上カートリッジ２３が装置２１の内部に侵入しないようになっている。
このピンチローラ２３ｆと搬送ローラ２５とが圧接した状態で、搬送ローラ２５が回転するとピンチローラ２３ｆも回転し、カートリッジ２３の内部のテープ送りベルト２３ｇを介して、磁気テープ２３ａを左右に搬送できるようになっている。
前記カートリッジ２３を装置２１の内部に装着すると、外部からのコンピュータ（図示せず）等からの指示で、搬送ローラ２５を回転させて、磁気ヘッド２４により磁気テープ２３ａに所定の情報を記録、あるいは再生することができる。
また、装置２１からカートリッジ２３を抜き取るイジェクト動作は、図１９に示す装置２１の外部に出っ張っている、カートリッジ２３の後端部２３ｅを、手作業で強く矢印Ｅ方向に引っ張ると、前記係止ローラ２２ｂが、カートリッジ２３の切り欠き部２３ｄから下方に逃げて、カートリッジ２３を装置２１から抜き取ることができる。
【０００６】
【発明が解決しようとする課題】
しかし、前述したような従来の装置２１では、カートリッジ２３の着脱を手作業で行っているため、前記板バネ２２の大きな弾性力により、着脱動作に大きな力（約１．５〜３Ｋｇｆ）が必要となり、カートリッジ２３の着脱作業を非力な人が行うのは大変であった。
また、力まかせに無理に、カートリッジ２３を装置２１に押し込んだりすると、カートリッジの前面側が装置２１内部のストッパ（図示せず）にぶつかり、両方が傷ついたり壊れたりすることがあった。
また、カートリッジ２３の着脱を容易にするために、前記板バネ２２の弾性力を小さくすると、カートリッジ１３を装着したときの保持力が弱くなり、搬送ローラ２５に圧接しているピンチローラ２３ｆがスリップしたりして、磁気テープ２３ａの送りが不安定となり、正確な記録・再生ができなくなることがあった。
【０００７】
【課題を解決するための手段】
前記課題を解決するための第１の手段として本発明の磁気記録再生装置は、内部に磁気テープが収納されたカートリッジと、このカートリッジをスライドさせて装着する第１スライド部材と、この第１スライド部材をスライドさせる第２スライド部材と、前記第１と第２のスライド部材をそれぞれ個別にスライド可能に保持する筺体と、前記第１と第２のスライド部材を連結するリンク部材と、前記第２スライド部材をスライド操作可能な駆動源とを備え、前記リンク部材の一端側と他端側との間に形成した支点を前記筺体の底板に回動可能に軸支し、前記支点から前記第１スライド部材を連結する一端側までの寸法よりも、前記支点から前記第２スライド部材を連結する他端側までの寸法を小さく形成し、前記第１と第２のスライド部材は、前記リンク部材を回動させると、それぞれ反対方向にスライド可能になっており、
前記第２スライド部材は、前記リンク部材に連結し端部を有する第１部材と前記駆動源に連結し、前記第１部材の端部と接離可能な端部を有する第２部材とから成り、前記第１部材の一部に手動で操作可能な押圧部を設け、該第１部材の押圧によって前記第１部材の端部が前記第２部材の端部から離れるようにスライド移動可能になっており、
前記第１部材と第２部材との間には弾性部材が張架され、前記弾性部材によって前記第１部材の前記端部が前記第２部材の前記端部へ当接しており、
前記駆動源を駆動すると、前記弾性部材を介して前記第１、第２部材のそれぞれの前記端部が当接した状態で同方向にスライドし、前記リンク部材を介して前記第１スライド部材がスライドして、前記カートリッジを自動排出するようにし、前記駆動源が停止した状態で、前記弾性部材の弾性力に抗して前記第１部材の前記押圧部を押圧すると、前記第１部材の前記端部が前記駆動源に連結する前記第２部材の前記端部から離れる方向にスライドし、前記第１部材により前記リンク部材を介して前記第１スライド部材がスライドして、前記カートリッジを手動排出可能とした構成とした。
【０００８】
また、前記課題を解決するするための第２の手段として、前記第２スライド部材に連結部を設け、前記リンク部材の他端側の長手方向に長孔状の係合部を形成し、前記第２スライド部材の連結部を前記リンク部材の係合部に移動可能に係合させて、前記リンク部材と前記第２スライド部材とを連結し、前記第２スライド部材のスライドにより前記リンク部材が回動し、前記第２スライド部材の連結部が前記係合部において前記リンク部材の支点から遠のくと共に、前記支点と交わる前記第２スライド部材のスライド方向と直交する線に対する前記リンク部材の回動角度が大きくなるようにした構成とした。
【０００９】
また、前記課題を解決するするための第３の手段として、前記リンク部材の一端側に連結部を設け、前記前記第１スライド部材のスライド方向と直交する方向に長孔の係合部を形成し、前記リンク部材の連結部を前記第１スライド部材の係合部に係合させて前記リンク部材と前記第１スライド部材とを連結し、前記第２スライド部材をスライドさせて前記リンク部材を回動させると、前記リンク部材の連結部が前記第１スライド部材の係合部内を移動して前記第１スライド部材をスライドさせるようにした構成とした。
【００１１】
【発明の実施の形態】
本発明の磁気記録再生装置の１実施の形態を図１〜図１８に基づいて説明する。まず、本発明の磁気記録再生装置１（以下装置１と称する）の概略構成は、図１、図２の斜視図に示すように、内部に後述する各種部品が取り付けられて外形が略矩形の筺体２と、この筺体２の上部を蓋閉するカバー３と、筺体２の前面にはカートリッジ挿入口１ａが形成されている。
また、装置１に装着されるカートリッジ４は、内部に磁気テープが収納され、外部の両側面には、カートリッジ４を装置１の内部に案内するガイド部４ａ、４ｂが上下に形成され、下方のガイド部４ａには切り欠きされた係合部４ｃが設けられている。
また、図２はカートリッジ４を装置１に装着したときの外観図で、カートリッジ４の全体が装置１の内部に挿入されている。
【００１２】
前述したような装置１の詳細な構成を、図３〜図１８に基づいて説明する。図３は装置１のカバー３を取り去って、筺体２の内部を上方からみた概略上面図である。
まず、本発明の装置１には、複数の異なる部品を収納する筺体２が配設され、この筺体２は、図４の上面図、および図５の正面図に示すように、金属板等をプレス加工等により、打ち抜きおよび折り曲げされて外形が矩形に形成されている。
この筺体２は、底部に略平坦状の底板２ａが形成され、この底板２ａの図示左右には、一対の側板２ｂ、２ｂが対向状態で上方に折り曲げ形成されている。
また図４に示す図示下方の底板２ａの左右２箇所には、プレス等で略矩形の一対の窓部２ｃ、２ｃが打ち抜き形成されている。この一対の窓部２ｃ、２ｃに挟まれた略中央部には、図示上下方向に縦長の長孔２ｄが打ち抜き形成されている。
この長孔２ｄの周囲には、底板２ａの裏側から突き出しされて凸部２ｋが形成されている。
【００１３】
また、長孔２ｄの図示右上方には、略矩形のヘッド取付孔２ｅが打ち抜き形成され、このヘッド取付孔２ｅの図示下方側の内面には、２個のストッパ２ｆが上方に切り起こし形成されている。
また、長孔２ｄの図示上部から左斜め上方にかけて、後述する搬送ローラ１７と図示しない駆動源に巻回された駆動ベルトの逃げ孔２ｇが略楕円形状に形成されている。この逃げ孔２ｇの図示左側で、前記左側の側板２ｂ近傍には縦長の開口２ｈが打ち抜き形成されている。
また、図示上端部の左寄りには、後述するカートリッジ４をスライドさせて、着脱する駆動源１３を取り付けるための、略矩形のモータ取付孔２ｊが形成され、このモータ取付孔２ｊの近傍周辺には、小径で複数の丸孔が打ち抜き形成されている。
【００１４】
また、装置１に装着されるカートリッジ４は、外形が箱状に形成され、図６に示すように左右両側面の上下には、２つのガイド部４ａ、４ｂがそれぞれ外側にレール状に突出形成されている。また、下部側のガイド部４ａには、切り欠きされた係合部４ｃが形成されている。
また、カートリッジ４の内部には、磁気テープ４ｄが収納され、この磁気テープ４ｄは両端部が回転自在のリール４ｅ、４ｅにそれぞれ巻回されている。
また、カートリッジ４の前面側４ｆの中央部に切り欠き部４ｇが形成され、この切り欠き部４ｇから外周部の一部がはみ出して、回転自在のピンチローラ４ｈが配設されている。このピンチローラ４ｈの回転に連動して、テープ送りベルト４ｐを介してリール４ｅ、４ｅが時計方向、あるいは反時計方向に回転し、磁気テープ４ｄがそれぞれのリール４ｅ、４ｅに巻取り、あるいは巻き戻しできるようになっている。
【００１５】
また、カートリッジ４の前記切り欠き部４ｇの右側には、磁気テープ４ｄを前面側４ｆに露出させて、後述する磁気ヘッド１８に磁気テープ４ｄを摺動させるための開口部４ｊが形成され、この開口部４ｊには開閉可能な蓋体４ｋが配設されている。
この蓋体４ｋには図示右側に端部４ｍが形成され、この端部４ｍが支持ピン４ｎに軸支されて、蓋体４ｊが回動可能になっている。
また、支持ピン４ｎには、ねじりコイルバネ（図示せず）が巻回されて、カートリッジ４が装置１に装着されていないときは、蓋体４ｋが常に開口部４ｊを蓋閉して、カートリッジ４の内部にゴミ等が侵入しないようになっている。
また、図３に示すように筺体２の内部にカートリッジ４を挿入すると、このカートリッジ４を係止し、矢印Ｆ方向にスライドさせて装置１に装着する、第１スライド部材５が筺体２の底板２ａ上に配設されている。
【００１６】
この第１スライド部材５は、ステンレス等のバネ性のある金属板から成り、図７の斜視図に示すように、図示手前側に基部５ａと、この基部５ａの左右両側にアーム部５ｂ、５ｃと、中央部に平板状のリンク支持部５ｄが形成されて、外形が略Ｅ字状になっている。
また、図示右側のアーム部５ｂの先端寄りには、略Ｕ字状のローラ保持部５ｅが上方に折り曲げられて形成されている。このローラ保持部５ｅの上方の手前側端部が、外方に直角に折り曲げられて、開閉部５ｆが形成されている。この開閉部４ｆは、前記カートリッジ４が装置１内部に挿入されると、カートリッジ４の蓋体４ｋの端部４ｍが当接し、蓋体４ｋが回動してカートリッジ４の前方に開くことができるようになっている。
【００１７】
また、前記基部５ａの図示左側のアーム部５ｃの先端寄りにも、上方に折り曲げられたローラ保持部５ｇが設けられ、このローラ保持部５ｇは、図示右側のローラ保持部５ｅと対向状態になっている。
このローラ保持部５ｇの先端部が、直角に内方に折り曲げられてストッパ部５ｈが設けられている。このストッパ部５ｈは、、前記カートリッジ４を第１スライド部材５に搭載するときに、カートリッジ４の前面側４ｆが当接して、カートリッジ４がストッパ部５ｈより内部側に押し込むことができないいようになっている。
また、前記ローラ保持部５ｅ、５ｇの外側には、コロ状の係止ローラから成る一対の係止部５ｊ、５ｊが、それぞれ対向する位置に回転自在に軸支されている。
また、前記リンク支持部５ｄの先端寄りには、図示右側のアーム部５ｄ方向に突出する凸部５ｋが形成されている。この凸部５ｋには、第１スライド部材５の矢印Ｆ方向、または矢印Ｇ方向へのスライド方向と直交する方向に長孔の係合部５ｍが打ち抜き形成されている。
また、リンク支持部５ｄには第１スライド部材５を、筺体２の長孔２ｄにスライド可能に取り付けるための２個の取付孔５ｎが形成されている。
このような第１スライド部材５は、筺体２の底板２ａ上にスライド可能に取り付けられて、前記係止部５ｊ、５ｊが、窓部２ｃ、２ｃ上、および底板２ａ上をスライド可能になっている。
【００１８】
また、図３に示すように、前記第１スライド部材５の係合部５ｍには、リンク部材６の一端側が係合されている。このリンク部材６は、図８に示すように平板状の金属板等から成り、このリンク部材６は図示左側の他端側の長手方向に長孔状の係合部６ａが打ち抜き形成されている。
また、図示右側の一端側に丸孔６ｂと、この丸孔６ｂと他端側の係合部６ａとの間に支持孔６ｃが、それぞれプレス等で打ち抜き形成されている。
このリンク部材６は、図３に示すように、一端側の丸孔６ｂと他端側の係合部６ａの間の支持孔６ｃが形成され、この支持孔６ｃが筺体２の底板２ａに取り付けられた支持ピンから成る支点６ｄに回動可能に軸支されて、時計方向、または反時計方向に回動できるようになっている。
また、リンク部材６の一端側の丸孔６ｂには連結部６ｅが軸支され、この連結部６ｅを第１スライド部材５の係合部５ｍに係合させて、リンク部材６と第１スライド部材５とを連結し、第２スライド部材をスライドさせるてリンク部材６を回動させると、連結部６ｅが前記第スライド部材５の係合部５ｍ内を移動して、第１スライド部材５を図３に示す矢印Ｆ、Ｇ方向にスライドさせるようになっている。
【００１９】
また、リンク部材６の他端側の係合部６ａには、図３に示すような第２スライド部材Ｓが連結されている。このようなリンク部材６は、図８に示すように支持孔６ｃを支点６ｄとして、この支点６ｄから第１スライド部材５を連結する一端側の丸孔６ｂまでの寸法Ｈよりも、支点６ｄと成る支点孔６ｃから第２スライド部材Ｓを連結する他端側の係合孔６ａまでの寸法が小さく形成されている。
また、係合部６ａに連結される前記第２スライド部材Ｓは、筺体２の底板２ａ上にスライド可能に軸支され、下部側に第１部材７と、この第１部材７の上部に第２部材８との２つの部材から成り、この第１と第２の部材７、８は、それぞれ金属板等をプレス加工等で打ち抜き形成されている。
前記第１部材７は図９の斜視図に示すように、図示手前側の先端部７ａが略Ｌ字状に形成され、この先端部７ａ寄りの左右両側が、対向状態で上方に折り曲げられた、２つのガイド７ｂ、７ｂが形成されている。
【００２０】
また、この２つのガイド部７ｂ、７ｂに挟まれた平坦部を、図示上方に切り起こして押圧部７ｃが設けられている。
前記ガイド７ｂ、７ｂの図示後方には、所定の孔径の取付孔７ｄが形成され、この取付孔７ｄの図示後方に平坦部７ｅが形成されている。
そして、手前側の平坦部７ｅに取付孔７ｆと、後方側の平坦部７ｅに２つの取付孔７ｇ、７ｈとが、それぞれ所定の幅で図示縦長に打ち抜き形成されている。
また、前記後方側の２つの取付孔７ｇ、７ｈは、手前側の取付孔７ｆに対して、若干図示左側にズレた状態で形成されている。
【００２１】
また、第１部材７の図示後方の後端部７ｊには、図示右側が上方に折り曲げられてストッパ部７ｋが形成され、後端部７ｊの図示左側には、平坦部７ｅから突出して凹部を有するバネ係止部７ｍが形成されている。
このような構成の第１部材７は、図３に示すように取付孔７ｄにカシメ等で連結部７ｎが取り付けられている。この連結部７ｎが前記リンク部材６の係合部６ａに挿入されて、リンク部材６の他端側が抜け止めリング（図示せず）等で抜け止めされ、第２スライド部材Ｓの第１部材７にスライド可能に軸支されている。
そして、第１部材７を図３に示す矢印Ｆ、あるいは矢印Ｇ方向にスライドさせると、第１部材７に取り付けられた連結部７ｎが、リンク部材６の係合部６ａ内を移動して、リンク部材６を回動させ、このリンク部材６の一端側に連結されている第１スライド部材を、前記第２スライド部材Ｓのスライド方向と反対方向にスライドするようになっている。例えば、第２スライド部材Ｓが矢印Ｇ方向にスライドすると、第１スライド部材５が矢印Ｆ方向にスライドする。
また、第１部材７は、図３に示す筺体２の底板２ａにカシメ等で固定された３個の固定ピン７ｐに、前記３個の取付孔７ｆ、７ｇ、７ｈがそれぞれ挿入されて軸支され、底板２ａ上を図示縦方向にスライドできるようになっている。
【００２２】
また、第１部材７の後端部７ｊ寄りの平坦部７ｅ上には、図１０に示すような、第２部材８がスライド可能に配設されている。
この第２スライド部材Ｓの第２部材８は金属板等から成り、横方向に延びる基部８ａと、この基部８ａと直交する縦方向に縦長の支持部８ｂとが形成されて、外形が略Ｔ字状になっている。
そして基部８ａには一方が略矩形で他方が円形に形成された、横長のカム溝８ｃが打ち抜き形成されている。また、支持部８ｂの図示下方側に先端部８ｄと、図示上方に後端部８ｅとが形成され、支持部８ｂ上には縦長で矩形の２個の取付孔８ｆ、８ｇが打ち抜き形成されている。また、前記支持部８ｂの先端部８ｄ側の図示左側には、凹部を有するバネ係止部８ｈが突出して形成されている。
【００２３】
このような構成の第２部材８は、図３に示すように、第１部材７の２個の取付孔７ｇ、７ｈが挿入されている２個の固定ピン７ｐ、７ｐに、取付孔８ｆ、８ｇが挿入されて、前記第１部材上にスライド可能に取り付けらっれている。
そして、第２スライド部材Ｓは、第１部材７と第２部材８との、それぞれのバネ係止部７ｍ、８ｈに、コイルバネ等から成る弾性部材９が張架され、この弾性部材９の弾性力により、第２部材８の後端部８ｅが、第１部材７のストッパ部７ｋに当接した状態になっている。
また、第２部材８をスライドさせると第１部材７が前記弾性部材９を介して第２部材８と同方向にスライドし、前記リンク部材を回動させるようになっている。
【００２４】
また、第２部材８の基部８ａの下面側には、図３に示すように、金属板等から成り外周部に歯車が形成されたカム部材１０が配設され、このカム部材１０は筺体２の底面２ａに回転自在に軸支されている。前記カム部材１０の回転中心から離れた位置に駆動ピン１０ａがカシメ等で取り付けられている。
また、カム部材１０の図示右側には、カム部材１０の外周部の歯車に噛み合うピニオンギア１１ａと、径の大きな平歯車１１ｂとから成る２段歯車１１が配設され、この２段歯車１１は、筺体２の底板２ａに回転自在に軸支されている。
また、２段歯車１１の図示上方には、２段歯車１１の平歯車１１ｂに噛み合う２段ピニオン１２が配設され、この２段ピニオン１２は筺体２の底板２ａに回転自在に軸支されている。前記２段ピニオン１２は、上部と下部に、径の異なるピニオンギアが一体に形成され、上部には前記２段歯車１１の平歯車１１ｂが噛み合う小ピニオンギア１２ａが形成され、下部に小ピニオンギア１２ａより外形の大きな大ピニオンギア１２ｂが形成されている。
また、前記カム部材１０の図示上方のモータ取付孔２ｊには、モータ等から成る駆動源１３が取り付けられている。この駆動源１３の回転軸にはウオームギア１３ａが圧入等で取り付けられ、このウオームギア１３ａが前記２段ピニオン１２の大ピニオン１２ｂと噛み合うようになっている。
【００２５】
また、図３に示す筺体２の図示右側の側板２ｂには、図１１に示すような縦長の作動部材１４がスライド可能に取り付けられている。この作動部材１４は金属板等から成り、前記右側の側板２ｂにスライド可能に取り付けられる取付部１４ａと、この取付部１４ａから図示左側に階段状に折り曲げられたアーム部１４ｂとから成り、このアーム部１４ｂには、手前側端部が図示左側に折り曲げられて先端部１４ｃが形成されている。
また、取付部１４ａの下方側が図示左方向に折り曲げられて、平坦状の作動部１４ｄが形成され、この作動部１４ｄに連接する後端部１４ｅが下方側に折り曲げ形成されている。
前記取付部１４ａの上端寄りには、取付部１４ａの長手方向２個の取付孔１４ｆ、１４ｇが、直列状に打ち抜き形成されている。
【００２６】
また、前記アーム部１４ｂの下方側が図示左側に折り曲げられて底板１４ｈが形成され、この底板１４ｈの手前側端部が上方に折り曲げられて、バネ係止部１４ｊが形成され、このバネ係止部１４ｊには丸孔が形成されている。
また、アーム部１４ｂと対向する図示左側には、底板１４ｈの左側端部が上方側に折り曲げられた当接部１４ｋが形成されている。
前記作動部材１４は、カートリッジ４を第１スライド部材５上に搭載するときに、カートリッジ４の前面側４ｆの右側端部で、前記当接部１４ｋが押圧され、作動部材１４もカートリッジ４と一緒に装置１の内部側にスライド移動するようになっている。
【００２７】
また、作動部材１４のバネ係止部１４ｊと、第１スライド部材５の開閉部５ｆとに形成されている、それぞれの丸孔にコイルバネ１５が張架され、装置１に装着されたカートリッジ４を取り出すイジェクト動作のときに、第１スライド部材５が矢印Ｇ方向にスライドすると、コイルバネ１５で作動部材１４が引っ張られ、作動部材１４も矢印Ｇ方向のカートリッジ挿入口１ａ側にスライドするようになっている。
また、図３に示す筺体２の底板２ａのヘッド取付孔２ｅの図示左側には、前記駆動源１３とは別の図示しない駆動源により、回転可能な搬送ローラ１７が取り付けられている。この搬送ローラ１７は、外周部にゴム等の摩擦部材が取り付けられ、カートリッジ４のピンチローラ４ｈが圧接されて回転するときに、ピンチローラ４ｈがスリップしないようになっている。
また、ヘッド取付孔２ｅの２つのストッパ２ｆ寄りには、磁気ヘッド１８が図示しない部材に取り付けられて配設されている。
また、筺体２の図示左側の側板２ｂの手前側には、縦長のイジェクトボタン１９がスライド可能に取り付けられている。
【００２８】
前述したような構成の本発明の装置１の動作を説明すると、まず、カートリッジ４を挿入する前の装置１の内部には、図３に示すように第１スライド部材５がカートリッジ挿入口１ａ側に位置し、一対の係止ローラから成る係止部５ｊ、５ｊが、筺体２のそれぞれの窓部２ｃ、２ｃに位置した状態になっている。
この状態の装置１に、２点鎖線で示すカートリッジ４を装着するローディング動作は、まずカートリッジ挿入口１ａから、カートリッジ４を矢印Ｆ方向に挿入する。
すると、筺体２の左右両側の側板２ｂ、２ｂのカートリッジ挿入口１ａ寄りに配設されている案内レール（図示せず）に、カートリッジ４の左右のガイド部４ａ、４ｂが案内されて、カートリッジ４が筺体２の内部に侵入する。
すると図１２に示すように、カートリッジ４のガイド部４ａの先端部が、第１スライド部材５の係止部５ｊを、筺体２の窓部２ｃ内に押し下げる。
この状態から更にカートリッジ４を装置１の内部に押し込むと、カートリッジ４の蓋体４ｋの端部４ｍが、第１スライド部材５の開閉部５ｆに当接して、蓋体４ｋがカートリッジ４の前方に開かれる。
【００２９】
前記蓋体４ｋを開く動作と同時、または、蓋体４ｋを開いた後、更にカートリッジ４を装置１の内部に押し込むことにより、前記筺体２の窓部２ｃ内に押し下げられていた係止部５ｊが、図１３に示すように、窓部２ｃの位置で係合部４ｃに位置し、係止部５ｊが元の水平状態に弾性復帰し、係止部５ｊでカートリッジ４の係合部４ｃを係止する。
この係止部５ｊが水平状態に弾性復帰することにより、手作業で挿入していたカートリッジ４にクリック感が生じて、第１スライド部材５の係止部５ｊがカートリッジ４を係止したことを、操作者が認識することができる。
【００３０】
また、装置１の内部にカートリッジ４を挿入する慣性力によって、カートリッジ４は更に装置１の内部側に押し込まれるが、第１スライド部材５のストッパ部５ｈに、カートリッジ４の前面側４ｆの左端部が当接して、これ以上カートリッジ４を装置１の内部に挿入することができないようになっている。
また、第１スライド部材５にカートリッジ４を搭載する動作で、カートリッジ４の前面側４ｆの右端部が、作動部材１４の当接部１４ｋに当接して、作動部材１４を装置１の内部側に移動する。
すると、作動部材１４の作動部１４ｄが、スイッチ等から成る検出部材（図示せず）を作動して、この検出部材がＯＮする。この検出部材がＯＮすると、モータ等から成る駆動源１３の回転が開始する。
【００３１】
この駆動源１３の回転が、図３に示す２段ピニオンギア１２を介して、２段歯車１１と、カム部材１０とに伝達され、このカム部材１０が回転する。
そして、このカム部材１０の回転にともなって、上方側にあった駆動ピン１０ａが第２スライド部材Ｓの第２部材８のカム溝８ｃ内を移動して、図１５に示すように下方側に位置すると共に、この駆動ピン１０ａが第２部材８を矢印Ｇ方向にスライドさせる。
すると、前記弾性部材９を介して、第１部材７も、第２部材８と同方向の矢印Ｇ方向にスライドし、図１６の２点鎖線で示す、左肩上がりになっていたリンク部材６は、支点６ｄを回動中心として反時計方向に回動する。そして、支点６ｄから斜め上方に遠のいていた第２スライド部材Ｓの連結部７ｎは、支点６ｄ側に近づき、リンク部材６は、支点６ｄと交わる第２スライド部材Ｓのスライド方向と直交する線Ｍと平行となり、第２スライド部材Ｓの連結部７ｎが支点６ｄに対して一番近づいた状態になる。
前記リンク部材６の反時計方向の回動で、カートリッジ４を搭載した第１スライド部材５が、第２スライド部材Ｓのスライド方向と反対方向の、矢印Ｆ方向にスライドする。
【００３２】
すると、底板２ａの窓部２ｃに位置していた係止部５ｊは、図１４に示すように筺体２の底板２ａ上にスライド移動し、係止部５ｊの下方側への動きが規制され、係止部５ｊでカートリッジ４の係合部４ｃを係止した状態を維持することができる。
そのために、カートリッジ４を装置１から取りだそうとしても、係止部５ｊが下方に逃げることができないので、カートリッジ４を装置１から取り出すことができない。
このように、係止部５ｊでカートリッジ４を係止し、更に駆動源１３を駆動させると、第２スライド部材Ｓの矢印Ｇ方向へのスライドにより、リンク部材６が更に反時計方向に回動して図１６の実線で示すように左肩下がりになり、連結部７ｎが前記係合部６ａにおいて支点６ｄから遠のくと共に、前記直交する線Ｍに対するリンク部材６の回動角度αが大きくなる。
【００３３】
このとき連結部７ｎは図１７に示すように、斜め下方に回動したリンク部材６の係合部６ａの一方の側壁６ｆには、図示垂直下方に押圧力Ｐが加わり、係合部６ａの一方の側壁６ｆと直交する方向に、リンク部材６を回動させようとする力Ｗが加わっている。前記連結部７ｎの押圧力Ｐとリンク部材６に加わる力Ｗとは、Ｗ＝Ｐ×ｃｏｓαの関係になっている。
そして、例えばリンク部材６の回動角度αが４５°の場合だと、Ｗ＝Ｐ×ｃｏｓ４５°（√２）となり、リンク部材６に加わる力Ｗは第２スライド部材Ｓをスライドさせる力Ｐの√２倍の力になる。
即ち、連結部７ｎが支点から遠のいて、リンク部材６の回動角度αが大きくなればなるほど、第２スライド部材Ｓの連結部７ｎの押圧力Ｐを変化させなくとも、リンク部材６に加わる力Ｗを大きくすることができる。
【００３４】
前記第１スライド部材５の矢印Ｆ方向へのスライドにより、カートリッジ４のピンチローラ４ｈが搬送ローラ１７に圧接されると、カートリッジ４が装置１に装着されてローディング動作が終了し駆動源１３の駆動が停止する。
すると磁気ヘッド１８のテープ摺接面に磁気テープ４ｄが摺接されて、第１スライド部材５、および第２スライド部材Ｓのスライドが停止する。
このとき、連結部７ｎが支点から遠のいて、リンク部材６の回動角度αが大きくなっているので、リンク部材６に加わる力Ｗが大きくなり、カートリッジ４のピンチローラ４ｈが搬送ローラ１７に大きな力で圧接することができる。
【００３５】
また、前記リンク部材６は図１６に示すように、支点６ｄから第１スライド部材５を連結する一端側の連結部６ｅまでの寸法Ｈよりも、支点６ｄから第２スライド部材Ｓを連結する他端側の係合部６ａ前の寸法Ｊが小さいので、リンク部材６の他端側の移動量より、一端側の移動量を大きくすることができる。
そのために、カートリッジ４を装置１から着脱する動作で、第２スライド部材Ｓのスライド量Ｋが小さくても、第１スライド部材５をスライドさせる量Ｌを大きくすることができる。
また、リンク部材６の回動角度αを大きくすることにより、リンク部材６を回動させようとする力Ｗが大きくなるので、前記リンク部材６の寸法Ｈよりも、前記寸法Ｊが小さくとも、第１スライド部材５を矢印Ｆ方向にスライドさせる力を大きくすることができる。
【００３６】
前記カートリッジを装着するローディング動作が終了して駆動源１３の駆動が停止すると、外部のコンピュータ（図示せず）等からの指令で、駆動源１３とは別の図示しない駆動源を回転させて搬送ローラ１７を回転させ、ピンチローラ４ｈを回転させる。
このピンチローラの回転に連動して、テープ送りベルト４ｐを介してリール４ｅが回転して、磁気テープ４ｄを搬送し、この磁気テープ４ｄに磁気ヘッド１８で記録再生を行うことができる。
また、装置１からカートリッジ４を取り出すイジェクト動作は、装置１の外部に出っ張ったイジェクトボタン１９の先端部１９ａを押圧すると、装置１内部のイジェクトボタン１９の他端が図示しないスイッチをＯＮする。
そして、駆動源１３が駆動して、カム部材１０が回転し駆動ピン１０ａが、図３に示す上方側に移動し、第２スライド部材Ｓが矢印Ｆ方向に移動する。すると、リンク部材６が支点６ｄを回動中心として時計方向に回動し、第１スライド部材５の連結部６ｅに連結された第１スライド部材５が矢印Ｇ方向に移動し、第１スライド部材５がカートリッジ挿入口１ａ側にスライドする。
【００３７】
すると、図１４に示す底板２ａ上に位置していた第１スライド部材５の係止部５ｊが、カートリッジ４を係止した状態で、図１３に示す筺体２の底板２ａの窓部２ｃに位置し、図３に示すように２点鎖線で示すカートリッジ４の後端側が装置１の外部に排出されて、カートリッジ４のイジェクト動作が終了する。
この状態から、カートリッジ４を抜き取ると、カートリッジ４のガイド部４ａで、係止部５ｊが下方の窓部２ｃ内に押圧されて下方に逃げ、カートリッジ４を装置１の外部に容易に取り出すことができる。
即ち、本発明の装置１は、底板２ａの窓部２ｃに係止部５ｊが位置しているとき、第１スライド部材５にカートリッジ４を着脱する動作で、係止部５ｊを上下動させて、係止部５ｊでカートリッジ４の係合部４ｃを係脱することができるようになっている。
【００３８】
また、本発明の装置１は、前記カートリッジ４を装着したローディング終了後駆動源１３が停止した状態で、図１８に示すように装置１の前方のカートリッジ挿入口１ａ側から、ドライバー等から成る押圧部材２０を挿入し、引っ張りコイルバネから成る弾性部材９の弾性力に抗して第１部材７の押圧部７ｃを押圧すると、第１部材７によりリンク部材６を介して第１スライド部材５がスライドして、カートリッジ４を排出するイジェクト動作を行うことができる。
そのために、例えば停電等の何らかの問題で駆動源１３が駆動しなくなっても、ローディング状態のカートリッジ４を手作業で排出する、マニアルイジェクトを軽作動で行うことができる。
【００３９】
【発明の効果】
本発明の磁気記録再生装置は、リンク部材の一端側と他端側の間を前記筺体の底板に回動可能に軸支し、この軸支部分を支点としてこの支点から前記第１スライド部材を連結する一端側までの寸法よりも、前記支点から前記第２スライド部材を連結する他端側までの寸法を小さく形成し、前記リンク部材を回動させて前記第１第２のスライド部材それぞれ反対方向にスライドさせるようにしたので、カートリッジを着脱するするとき、第２スライド部材のスライド量に対して、第１スライド部材のスライド量を大きくすることができる。そのために、カートリッジのスライド量を大きくできるので、カートリッジを着脱する動作を、電動で行うときに第２スライド部材をスライドさせるカム部材を小型にすることができ、小型でオートローディング、あるいはオートイジェクトがスムーズできる磁気記録再生装置を提供することができる。
【００４０】
また、第２スライド部材に連結部を設け、前記リンク部材の他端側の長手方向に長孔状の係合部を形成し、前記第２スライド部材の連結部を前記リンク部材の係合部に移動可能に係合させて、前記リンク部材と前記第２スライド部材とを連結し、前記第２スライド部材をスライドにより前記リンク部材が回動し、前記第２スライド部材の連結部が前記係合部において前記リンク部材の支点から遠のくと、前記支点と交わる前記第２スライド部材のスライド方向と直交する線に対する前記リンク部材の回動角度が大きくなるようにしたので、前記リンク部材の回動角度が大きくなるまで、連結部を移動させることにより、連結部の押圧力より大きな力を、リンク部材に加えることができ、第１スライド部材を大きな力でスライドさせることができる。
そのために、前記第１スライド部材に搭載したカートリッジのピンチローラを、大きな力で搬送ローラに押圧することができ、ピンチローラがスリップすることなく、搬送ローラの回転を確実に伝達することができ、高精度な磁気テープの搬送ができる磁気記録再生装置を提供できる。
【００４１】
また、前記リンク部材の一端側に連結部を設け、前記前記第１スライド部材のスライド方向と直交する方向に長孔の係合部を形成し、前記リンク部材の連結部を前記第１スライド部材の係合部に係合させて前記リンク部材と前記第１スライド部材とを連結し、前記第２スライド部材をスライドさせて前記リンク部材を回動させると、前記リンク部材の連結部が前記第１スライド部材の係合部内を移動して前記第１スライド部材をスライドさせるようにしたので、リンク部材の回動を確実に第１スライド部材に伝達でき、第１スライド部材に搭載したカートリッジをスムーズにスライドさせることができる。
【００４２】
また、前記第２スライド部材は第１部材と第２部材とから成り、前記第１部材の一部に押圧部を設け、前記第１部材と第２部材との間に張架された弾性部材を備え、前記カートリッジを装着した状態で、前記弾性部材の弾性力に抗して前記第１部材の押圧部を押圧すると、前記第１部材により前記リンク部材を介して前記第１スライド部材がスライドして、前記カートリッジを排出するようにしたので、例えば停電等で駆動源を駆動させることができなくなり、カートリッジをオートイジェクトできなくなる問題が発生しても、ドライバ等の押圧部材を使って、第１部材の押圧部を押圧することにより、ローディング状態のカートリッジ４を手作業で排出する、マニアルイジェクトを軽作動で確実に行うことができる。
そのために、停電等があったとしても故障等の問題がない磁気記録再生装置を提供できる。
【図面の簡単な説明】
【図１】本発明の磁気記録再生装置、およびカートリッジの概略斜視図。
【図２】本発明の磁気記録再生装置にカートリッジを装着した状態の概略斜視図。
【図３】本発明の磁気記録再生装置の筺体内部を説明する概略上面図。
【図４】本発明の磁気記録再生装置の筺体の上面図。
【図５】本発明の磁気記録再生装置の筺体の正面図。
【図６】本発明の磁気記録再生装置に用るカートリッジの斜視図。
【図７】本発明の磁気記録再生装置の第１スライド部材の斜視図。
【図８】本発明の磁気記録再生装置のリンク部材の平面図と断面側面図。
【図９】本発明の磁気記録再生装置の第２スライド部材の第１部材の斜視図。
【図１０】本発明の磁気記録再生装置の第２スライド部材の第２部材の平面図。
【図１１】本発明の磁気記録再生装置の作動部材の斜視図。
【図１２】本発明の磁気記録再生装置の動作を説明する要部断面側面図。
【図１３】本発明の磁気記録再生装置の動作を説明する要部断面側面図。
【図１４】本発明の磁気記録再生装置の動作を説明する要部断面側面図。
【図１５】本発明の磁気記録再生装置の動作を説明する概略上面図。
【図１６】本発明の磁気記録再生装置のリンク部材の動作を説明する概略図。
【図１７】本発明の磁気記録再生装置のリンク部材に加わる力を説明する概略図。
【図１８】本発明の磁気記録再生装置のマニアルイジェクトを説明する概略図。
【図１９】従来の磁気記録再生装置の概略平面図。
【図２０】従来の磁気記録再生装置の要部断面図と要部側面図。
【符号の説明】
１  本発明の磁気記録再生装置
１ａ  カートリッジ挿入口
２  筺体
２ａ  底板
２ｄ  側板
２ｃ  窓部
２ｅ  ヘッド取付部
３  カバー
４    カートリッジ
４ａ、４ｂガイド部
４ｃ  係合部
４ｄ  磁気テープ
４ｅ  リール
４ｆ  前側面
４ｈ  ピンチローラ
４ｋ  蓋体
４ｍ  端部
５  第１スライド部材
５ａ  基部
５ｆ  開閉部
５ｊ  係止部
５ｍ  係合部
６    リンク部材
６ａ  係合部
６ｂ  丸孔
６ｃ  支持孔
６ｄ  支点
６ｅ    連結部
６ｆ  一方の側壁
７  第１部材
７ｃ    押圧部
７ｍ  バネ係止部
７ｎ  連結部
８  第２部材
８ｃ  カム溝
８ｇ  バネ係止部
９  弾性部材
１０  カム部材
１０ａ  駆動ピン
１１  ２段歯車
１２  ２段ピニオン
１３  駆動源
１４  作動部材
１４ａ  取付部
１４ｊ  バネ係止部
１５    コイルバネ
１７  搬送ローラ
１８  磁気ヘッド
１９  イジェクトボタン
２０  押圧部材
【図１】
0003610224.tif 000002
【図２】
0003610224.tif 000003
【図３】
0003610224.tif 000004
【図４】
0003610224.tif 000005
【図５】
0003610224.tif 000006
【図６】
0003610224.tif 000007
【図７】
0003610224.tif 000008
【図８】
0003610224.tif 000009
【図９】
0003610224.tif 000010
【図１０】
0003610224.tif 000011
【図１１】
0003610224.tif 000012
【図１２】
0003610224.tif 000013
【図１３】
0003610224.tif 000014
【図１４】
0003610224.tif 000015
【図１５】
0003610224.tif 000016
【図１６】
0003610224.tif 000017
【図１７】
0003610224.tif 000018
【図１８】
0003610224.tif 000019
【図１９】
0003610224.tif 000020
【図２０】
0003610224.tif 000021